(57)【特許請求の範囲】
【請求項１】
貯湯タンクと、その貯湯タンク内に湯水が温度成層を形成して貯湯されるように湯水を加熱する加熱手段と、前記貯湯タンク内の上部の湯水を給湯する給湯路と、前記貯湯タンク内の湯水を外部放熱部に循環供給する循環供給手段と、前記加熱手段および前記循環供給手段の作動を制御する制御手段とが設けられた貯湯式の給湯熱源装置であって、
前記貯湯タンク内における湯水の温度成層の形成状態が高温部分の形成範囲が設定値よりも下方である余剰貯湯状態であるか否かを検出する余剰貯湯状態検出手段が設けられ、
前記余剰貯湯状態検出手段が、前記貯湯タンク内の貯湯量が必要最小貯湯量以上であるかを、その湯温を検出することにより検出する貯湯温サーミスタにて検出される前記必要最小貯湯量よりも設定量だけ多いかを湯温を検出することにより検出する余剰湯温サーミスタであり、
前記循環供給手段が、前記貯湯タンク内における前記貯湯温サーミスタと前記余剰湯温サーミスタとの間の前記中間部の湯水を取り出し、前記外部放熱部にて放熱して前記貯湯タンクの底部に戻す形態で湯水を循環させること、及び、前記貯湯タンクの底部の湯水を取り出し、前記加熱手段にて加熱して前記貯湯タンクの上部に戻す形態で湯水を循環させることを行なえるように構成され、
前記制御手段が、前記貯湯温サーミスタと前記余剰湯温サーミスタの検出情報に基づいて、前記必要最小貯湯量以上を維持するように、前記貯湯タンクの底部の湯水を取り出し、前記加熱手段にて加熱して前記貯湯タンクの上部に戻す形態で湯水を循環させる貯湯処理と、前記貯湯タンク内における前記貯湯温サーミスタと前記余剰湯温サーミスタとの間の中間部の湯水を取り出し、前記外部放熱部にて放熱して前記貯湯タンクの底部に戻す形態で湯水を循環させる放熱処理を行うべく、前記加熱手段および前記循環供給手段の作動を制御するように構成されている貯湯式の給湯熱源装置。
【発明の詳細な説明】
【０００１】
【発明の属する技術分野】
本発明は、貯湯タンクと、その貯湯タンク内に湯水が温度成層を形成して貯湯されるように湯水を加熱する加熱手段と、前記貯湯タンク内の上部の湯水を給湯する給湯路と、前記貯湯タンク内の湯水を外部放熱部に循環供給する循環供給手段と、前記加熱手段および前記循環供給手段の作動を制御する制御手段とが設けられた貯湯式の給湯熱源装置に関する。
【０００２】
【従来の技術】
上記のような貯湯式の給湯熱源装置は、貯湯タンク内に温度成層を形成して湯水が貯湯されるように加熱手段にて加熱し、貯湯タンク内の上部の湯水を給湯路を介して給湯するとともに、貯湯タンク内の湯水を外部放熱部に循環供給することにより、比較的小型の加熱手段を用いて貯湯タンク内に温度成層を形成して湯水を貯湯し、その貯湯された湯水を給湯および外部放熱部にて有効利用することができるものである。
【０００３】
そして、従来、貯湯タンクの底部から取り出した湯水を加熱手段にて加熱したのち、その温水を貯湯タンクの上部に供給するように連絡水管が設けられ、この連絡水管の途中部には、貯湯タンク内の湯水を加熱するための熱交換部と外部放熱部とが兼用するように設けられ、給湯するときには、貯湯タンクの底部から取り出した湯水を加熱手段にて加熱したのち、その温水を貯湯タンクの上部に供給して温度成層を形成して貯湯しながら給湯し、外部放熱部にて放熱を行うときには、外部放熱部に供給される熱媒を加熱手段にて加熱して放熱するようにしているものがあった（例えば、実開昭５６−３４２４９号公報参照）。
【０００４】
【発明が解決しようとする課題】
しかしながら、従来のものでは、給湯されるときにのみ貯湯タンクへの貯湯が行われるために、給湯開始時に貯湯タンク内に十分な貯湯量がなければ、貯湯タンク内の貯湯量が給湯量に追いつかなくなり、湯切れが生じる虞があった。
また、上述の湯切れを防止するためには、予め給湯に必要な貯湯量よりも設定量だけ多い余剰貯湯量になるように、加熱手段を作動させることが考えられるが、余剰貯湯されている湯が給湯されなければ、湯が利用されずに冷めて無駄になる虞があった。
【０００５】
本発明は、かかる点に着目してなされたものであり、その目的は、貯湯タンク内に十分な貯湯量を確保しながら、その貯湯されている湯を有効に利用することができる貯湯式の給湯熱源装置を提供する点にある。
【０００６】
【課題を解決するための手段】
この目的を達成するために、請求項１に記載の発明によれば、貯湯タンク内における湯水の温度成層の形成状態が高温部分の形成範囲が設定値よりも下方である余剰貯湯状態であるか否かを検出する余剰貯湯状態検出手段が設けられ、制御手段が、余剰貯湯状態検出手段の検出情報に基づいて、余剰貯湯状態を維持するように、加熱手段および循環供給手段の作動を制御するように構成されている。したがって、貯湯タンク内における湯水の温度成層の形成状態が余剰貯湯状態を検出すると、その余剰に貯湯されている湯を外部放熱部における熱源として利用することができるので、貯湯タンク内に十分な貯湯量が確保されるようにして、すなわち、余剰貯湯状態になるようにして、貯湯タンク内の湯を利用して外部放熱部における放熱を行うことができる。
【０００８】
【発明の実施の形態】
本発明にかかる貯湯式の給湯熱源装置をエンジンヒートポンプ式冷暖房給湯システムに適応した例を図面に基づいて説明する。
このエンジンヒートポンプ式冷暖房給湯システムは、図１に示すように、室内の冷暖房をするエンジンヒートポンプ式冷暖房装置Ｃが設けられ、このエンジンヒートポンプ式冷暖房装置Ｃのエンジン排熱およびヒートポンプ式冷暖房における排熱、ならびに、補助熱源を利用しながら貯湯タンク１内の湯水を加熱する加熱手段としての加熱部Ｋ、貯湯タンク１内の湯を利用して放熱する外部放熱部Ｈのそれぞれが貯湯タンク１内の湯水を循環するための循環路２に設けられ、循環ポンプ３を作動させて貯湯タンク１内の湯水を循環路２にて循環するようにしている。そして、エンジンヒートポンプ式冷暖房装置Ｃの運転、加熱部Ｋおよび循環ポンプ３などの動作を制御する制御手段としての制御装置Ｓが設けられている。
【０００９】
前記貯湯タンク１には、その底部から貯湯タンク１に水道水圧を用いて給水する給水路４が接続され、その上部から風呂場や台所などの給湯栓５に給湯する給湯路６が接続され、給湯栓５で使用された量だけの水を給水路４から貯湯タンク１に給水するようにしている。
また、循環路２を通流する湯水を貯湯タンク１内に戻す、または、貯湯タンク１内の湯水を循環路２に取り出すために、循環路２と貯湯タンク１とが、貯湯タンク１の上部、中間部、底部の３箇所で連通接続されている。
【００１０】
つまり、貯湯タンク１の上部には、循環路２と貯湯タンク１とを接続する上部接続路７ａと、循環路２と上部接続路７ａとの接続箇所に上部用三方弁７ｂとが設けられ、貯湯タンク１の中間部には、循環路２と貯湯タンク１とを接続する中間部接続路８ａと、循環路２と中間部接続路８ａとの接続箇所に中間部用三方弁８ｂとが設けられ、貯湯タンク１の底部には、循環路２と貯湯タンク１とを接続する底部接続路９ａと、循環路２と底部接続路９ａとの接続箇所に底部用三方弁９ｂとが設けられている。
したがって、各三方弁７ｂ，８ｂ，９ｂを切換えることによって、循環路２を通流する湯水を貯湯タンク１に戻したり、または、貯湯タンク１内の湯水を循環路２に取り出すようにし、循環供給手段Ｊが、循環路２、循環ポンプ３、各接続路７ａ，８ａ，９ａ、各三方弁７ｂ，８ｂ，９ｂなどによって構成されている。
【００１１】
また、貯湯タンク１内に加熱された湯を貯湯する際には、底部接続路９ａにより貯湯タンク１の底部の水を循環路２に取り出し、その水を加熱部Ｋで加熱しながら循環路２を循環させて、その加熱された湯を上部接続路７ａにより貯湯タンク１の上部に戻して温度成層を形成して貯湯する。そして、その貯湯量が必要最小貯湯量以上であるかを、その湯温を検出することにより検出する貯湯温サーミスタ１０、必要最小貯湯量よりも設定量だけ多い余剰貯湯量以上であるかを、その湯温を検出することにより検出する余剰貯湯状態検出手段としての余剰湯温サーミスタ１１が設けられている。なお、必要最小貯湯量とは、給湯栓５にて給湯することが予測される範囲の給湯量で行われるときに、湯切れが生じないように予め貯湯しておく貯湯量のことである。
そして、貯湯温サーミスタ１０の設置位置は、貯湯タンク１と中間接続路８ａとの接続箇所よりも上方に位置し、余剰湯温サーミスタ１１の設置位置は、貯湯タンク１と中間部接続路８ａとの接続箇所よりも下方に位置する。
【００１２】
前記加熱部Ｋは、循環路２における湯水の循環方向上手側から下手側に向けて、ヒートポンプ式冷暖房における排熱を利用して加熱する第１熱交換部１２、エンジン排熱を利用して加熱する第２熱交換部１３、補助熱源としてのバーナＢを備える燃焼装置Ｎにより加熱する第３熱交換部１４を順に設けて構成され、それぞれの熱交換部１２，１３，１４において循環路２を通流する湯水を熱交換により加熱できるようにしている。
前記外部放熱部Ｈは、本実施形態においては、循環路２における湯水の循環方向上手側から下手側に向けて、風呂追焚き用熱交換部１５、床暖房用熱交換部１６を順に設けて構成されている。つまり、浴槽内の湯水を風呂追焚き用循環ポンプ１５ａの作動により風呂追焚き用循環路１５ｂを介して風呂追焚き用熱交換部１５に供給して熱交換により図外の浴槽の湯水を追焚きをできるようにしている。また、床暖房用循環ポンプ１６ａの作動により床暖房用循環路１６ｂを通流する熱媒を床暖房用熱交換部１６にて熱交換して床暖房をできるようにしている。
【００１３】
ちなみに、第１熱交換部１２が底部用三方弁９ｂと中間部用三方弁８ｂとの間の循環路２に設けられ、第２熱交換部１３および第３熱交換部１４が中間部用三方弁８ｂと上部用三方弁７ｂとの間の循環路２に設けられ、循環ポンプ３が第３熱交換部１４と上部用三方弁７ｂとの間の循環路２に設けられている。そして、風呂追焚き用熱交換部１５および床暖房用熱交換部１６が上部用三方弁７ｂと底部用三方弁９ｂとの間の循環路２に設けられている。
【００１４】
前記エンジンヒートポンプ式冷暖房装置Ｃは、室内機Ｕｉ、室外機Ｕｏから構成され、室内機Ｕｉと室外機Ｕｏとは、冷媒配管ｒで接続されている。
前記室内機Ｕｉには、膨張弁Ｖｅｘ、室内熱交換器Ｎｉ、その室内熱交換器Ｎｉで温調した空気ＳＡを空調対象域へ送出する室内空調用送風機Ｆｉが備えられている。
前記室外機Ｕｏには、ガスエンジンＧＥ、ラジエターＲＧ、ラジエター用送風機ＲＦ、圧縮機Ｃｍｐ、アキュムレータＡｃ、四方弁Ｖｘ、室外熱交換器Ｎｏ、その室外熱交換器Ｎｏに対し外気ＴＡを通風する室外空調用送風機Ｆｏが備えられている。また、ガスエンジンＧＥの冷却用の冷却水をラジエターＲＧとの間で循環させる冷却水路ｗが設けられ、この冷却水路ｗにラジエター用ポンプＲＰが設けられている。
【００１５】
そして、エンジンヒートポンプ式冷暖房装置Ｃは、ガスエンジンＧＥにより圧縮機Ｃｍｐを作動させて、四方弁Ｖｘの切換え操作により冷房運転と暖房運転とを選択切換え可能に構成されている。また、エンジンヒートポンプ式冷暖房装置Ｃには、冷房運転における排熱が冷媒により第１熱交換部１２に供給される加熱状態と室外熱交換器Ｎｏに供給される排熱状態とに切換える第１排熱切換機構１７と、ガスエンジン排熱が冷却水により第２熱交換部１３に供給される加熱状態とラジエターＲＧに供給されて排熱される排熱状態とに切換える第２排熱切換機構１８とが設けられている。
【００１６】
具体的に説明すると、第１排熱切換機構１７は、室外熱交換器Ｎｏと第１熱交換部１２とが並列になるように冷媒配管ｒに接続されているバイパス冷媒配管１７ａ、バイパス冷媒配管１７ａと冷媒配管ｒとの接続箇所にそれぞれ設けられている三方弁１７ｂ，１７ｃから構成されている。
そして、冷房運転における排熱が冷媒により第１熱交換部１２に供給される加熱状態においては、冷媒が冷媒配管ｒ、バイパス冷媒配管１７ａ、第１熱交換部１２、バイパス冷媒配管１７ａ、冷媒配管ｒの順に供給される。また、冷房運転における排熱が冷媒により室外熱交換器Ｎｏに供給される排熱状態においては、冷媒が冷媒配管ｒ、室外熱交換器No、冷媒配管ｒの順に供給される。
【００１７】
第２排熱切換機構１８は、ラジエターＲＧと第２熱交換部１３とが並列になるように冷却水路ｗに接続されているバイパス冷却水路１８ａ、バイパス冷却水路１８ａと冷却水路ｗとの接続箇所にそれぞれ設けられている三方弁１８ｂ，１８ｃから構成されている。
そして、ガスエンジン排熱が冷却水により第２熱交換部１３に供給される加熱状態においては、冷却水が冷却水路ｗ、バイパス冷却水路１８ａ、第２熱交換部１３、バイパス冷却水路１８ａ、ラジエター用ポンプＲＰ、冷却水路ｗの順に供給される。また、ガスエンジン排熱が冷却水によりラジエタＲＧに供給されて排熱される排熱状態においては、冷却水が冷却水路ｗ、ラジエターＲＧ、ラジエター用ポンプＲＰ、冷却水路ｗの順に供給される。
【００１８】
そして、冷房運転においては、室内熱交換器Ｎｉを蒸発器として機能させて、空調対象域への供給空気ＳＡを冷却温調し、第１排熱切換機構１７が排熱状態に切り換えられていると、室外熱交換器Ｎｏを凝縮器として機能させて外気に対して放熱し、第１排熱切換機構１７が加熱状態に切り換えられていると、第１熱交換部１２にて循環路２を通流する湯水に対して放熱する。
また、暖房運転においては、室内熱交換器Ｎｉを凝縮器として機能させて、空調対象域への供給空気ＳＡを加熱温調し、室外熱交換器Ｎｏを蒸発器として機能させて外気ＴＡから吸熱するようにしている。
【００１９】
このようにして、冷房運転または暖房運転が実行されるときにおいて、冷却水によりガスエンジンＧＥの排熱を回収して、第２排熱切換機構１８が排熱状態に切り換えられていると、ラジエター用送風機ＲＦを駆動させラジエターＲＧにおいて放熱し、第２排熱切換機構１８が加熱状態に切り換えられていると、第２熱交換部１３にて循環路２を通流する湯水に対して放熱するように構成されている。
【００２０】
さらに詳述すると、冷房運転においては、圧縮機Ｃｍｐから吐出される高圧乾き蒸気冷媒を、四方弁Ｖｘを介して室外熱交換器Ｎｏに供給し、第１排熱切換機構１７が排熱状態に切り換えられている場合には、この室外熱交換器Ｎｏにおいて外気との熱交換により凝縮させる。
【００２１】
そして、凝縮器としての室外熱交換器Ｎｏから送出される凝縮工程通過冷媒を、膨張弁Ｖｅｘを介して室内熱交換器Ｎｉに供給し、この室内熱交換器Ｎｉにおいて冷却対象空気との熱交換により蒸発される。
その後、蒸発器としての室内熱交換器Ｎｉから送出される低圧乾き蒸気冷媒を、四方弁ＶｘおよびアキュムレータＡｃを介して圧縮機Ｃｍｐの吸入口に戻す。このようにして、冷却対象域である室内が冷房されることになる。
【００２２】
また、暖房運転については、圧縮機Ｃｍｐから吐出される高圧乾き蒸気冷媒を、四方弁Ｖｘを介して室内熱交換器Ｎｉに供給し、この室内熱交換器Ｎｉにおいて加熱対象空気との熱交換により凝縮させる。
【００２３】
そして、凝縮器としての室内熱交換器Ｎｉから送出される凝縮構成通過冷媒を、膨張弁Ｖｅｘを介して室外熱交換器Ｎｏに供給し、この室外熱交換器Ｎｏにおいて外気との熱交換により蒸発させる。
その後、蒸発器としての室外熱交換器Ｎｏから送出される低圧乾き蒸気冷媒を四方弁ＶｘおよびアキュムレータＡｃを介して圧縮機Ｃｍｐの吸入口に戻す。このようにして、加熱対象域である室内が暖房されることになる。
【００２４】
前記制御装置Ｓは、図２に示すように、燃焼装置Ｎ、循環ポンプ３および各三方弁７ｂ，８ｂ，９ｂなどの貯湯タンク１側の動作を制御する給湯用コントローラＴＣ、エンジンヒートポンプ式冷暖房装置Ｃの運転を制御する冷暖房装置用コントローラＲＣから構成され、この給湯用コントローラＴＣと冷暖房装置用コントローラＲＣが通信可能に構成されている。
【００２５】
つまり、給湯用コントローラＴＣは、給湯用操作装置ＫＳの指令に基づいて、循環ポンプ３、燃焼装置Ｎ、各三方弁７ｂ，８ｂ，９ｂの動作を制御するように構成され、冷暖房装置用コントローラＲＣは、冷暖房用操作装置ＲＳの指令に基づいて、ガスエンジンＧＥ、第１排熱切換機構１７、第２排熱切換機構１８の動作を制御するように構成されている。
そして、前記冷暖房装置用コントローラＲＣは、冷暖房用操作装置ＲＳの指令に基づいて、冷房運転または暖房運転を実行するとともに、第１排熱切換機構１７と第２排熱切換機構１８の切換えを行うように構成されている。
【００２６】
前記給湯用コントローラＴＣは、給湯用操作装置ＫＳにより運転が指令されている状態で、貯湯運転を実行する時間帯などの貯湯運転の実行タイミングであって、貯湯タンク１内に必要最小貯湯量の貯湯がされていないと、すなわち、貯湯温サーミスタ１０による検出温度が設定温度未満であると、貯湯タンク１への貯湯処理を行う。そして、貯湯タンク１への貯湯が行われた後、貯湯タンク１内の貯湯量が必要最小貯湯量以上であるときに、外部放熱部Ｈにおける放熱要求に伴って外部放熱部Ｈにて放熱処理を行う。
【００２７】
具体的に説明すると、給湯用操作装置ＫＳにより運転が指令されている状態で、貯湯タンク１内に必要最小貯湯量の貯湯がされていないと、すなわち、貯湯温サーミスタ１０による検出温度が設定温度未満であると、貯湯処理の実行が要求されて、図３に示すように、循環ポンプ３を作動させ、貯湯タンク１の底部の水を循環路２に取り出すように底部用三方弁９ｂを切換えて、貯湯タンク１の底部の水を加熱部Ｋにて加熱しながら循環させる。
そして、例えば、循環路２を通流する湯水が十分に加熱される設定時間が経過すると、あるいは、循環路２における湯水の温度が設定温度以上になると、循環路２を通流する湯を貯湯タンク１の上部に戻すように上部用三方弁７ｂを切り換えて、加熱された湯を貯湯タンク１の上部に戻して貯湯を行う。
【００２８】
また、上述の貯湯タンク１への貯湯が行われた後、貯湯タンク１内の貯湯量が必要最小貯湯量以上であるときに、給湯用操作装置ＫＳの指令により風呂追焚きが指令されるか、床暖房装置の運転が開始されるか、または、その両方がされて、風呂追焚き用循環ポンプ１５ａや床暖房用循環ポンプ１６ａが作動され、放熱処理の実行が要求されると、循環ポンプ３を作動させ、貯湯タンク１内の中間部の湯水を循環路２に取り出すように中間用三方弁８ｂを切換え、循環路２の湯水を貯湯タンク１の底部に戻すように底部用三方弁９ｂを切換える。
そして、図４に示すように、貯湯タンク１の中間部の湯水を熱源として風呂追焚き用熱交換部１５と床暖房用熱交換部１６のうちの放熱が要求されている一方またはその両方において放熱し、放熱後の湯水を貯湯タンク１の底部に戻すようにする。
【００２９】
このようにして、貯湯タンク１内に余剰貯湯されているときには、その余剰貯湯されている湯を、貯湯タンク１の中間部から取り出して外部放熱部Ｈにおける熱源として利用しながら、貯湯タンク１の底部に戻すことができるので、余剰貯湯されている湯を有効活用しながら、貯湯タンク１内に余剰貯湯されている余剰貯湯状態を維持することが可能となる。
【００３０】
また、加熱部Ｋの動作について説明すると、エンジンヒートポンプ式冷暖房装置Ｃが冷房運転を実行している状態で、かつ、第１排熱切換機構１７が加熱状態に切換えられると、第１熱交換部１２において、ヒートポンプ式冷暖房における排熱を熱源として循環路２を通流する湯水を加熱することが可能となる。
また、エンジンヒートポンプ式冷暖房装置Ｃが作動されている状態で、かつ、第２排熱切換機構１８が加熱状態に切り換えられると、第２熱交換部１３において、ガスエンジン排熱を熱源として循環路２を通流する湯水を加熱することが可能となる。
そして、第３熱交換部１４においては、燃焼装置Ｎを作動させてバーナＢの燃焼により循環路２を通流する湯水を加熱することができる。
【００３１】
このようにして、第１〜３熱交換部１２，１３，１４のそれぞれの熱交換部において加熱可能であるが、貯湯タンク１への貯湯や外部放熱部Ｈに対する加熱負荷に応じて、第１熱交換部１２、第２熱交換部１３、および、第３熱交換部１４における加熱作動の実行が制御される。
つまり、例えば、運転の立ち上がりなどのように加熱負荷が大きいときには、第１排熱切換機構および第２排熱切換機構を加熱状態に切換え、かつ、バーナＢによる燃焼を行い、第１〜３熱交換部１２，１３，１４の全ての熱交換部において加熱可能にする。
【００３２】
また、通常時には、エンジンヒートポンプ式冷暖房装置Ｃの運転状態よって第１および第２熱交換部１２，１３における加熱が可能となるために、第１および第２熱交換部１２，１３において加熱されるか否かに基づいて、燃焼装置Ｎを作動させてバーナＢの燃焼により第３熱交換部１４において加熱されるか否かが判別される。
つまり、エンジンヒートポンプ式冷暖房装置Ｃの運転状態よって第１および第２熱交換部１２，１３における加熱が行われないときには、あるいは、第１および第２熱交換部１２，１３における加熱では貯湯タンク１への貯湯に対する加熱負荷に不足するときには、燃焼装置Ｎを作動させてバーナＢの燃焼により第３熱交換部１４における加熱を実行して、貯湯タンク１への貯湯や外部放熱部Ｈに対する加熱負荷に対応するように加熱部Ｋの動作を制御するようにしている。
【００３３】
前記制御装置Ｓの制御動作を図５のフローチャートに基づいて説明する。
まず、給湯用操作装置ＫＳにより運転が指令されている状態で、貯湯運転を実行する時間帯などの貯湯運転の実行タイミングであって、貯湯タンク１内に必要最小貯湯量の貯湯がされていないと、すなわち、貯湯温サーミスタ１０の検出温度ＴＫが設定温度未満であると、貯湯運転を開始して貯湯処理を実行する。
【００３４】
つまり、循環ポンプ３を作動させ、底部用三方弁９ｂを貯湯タンク１の水を循環路２に取り出すように切換えて、貯湯タンク１の底部の水を加熱部Ｋにて加熱しながら循環させ、例えば、循環路２を通流する湯水が十分に加熱される設定時間が経過すると、あるいは、循環路２における湯水の温度が設定温度以上になると、循環路２を通流する湯を貯湯タンク１に戻すように上部用三方弁７ｂを切り換えて、加熱された湯を貯湯タンク１の上部に戻して貯湯処理を行う。
【００３５】
このようにして、貯湯処理を実行して、その貯湯量が必要最小貯湯量よりも設定量だけ多い余剰貯湯量になると、すなわち、余剰湯温サーミスタ１１による検出温度ＴＹが設定温度以上になると、貯湯処理の終了が要求されて、停止処理を実行して貯湯運転を終了する。
つまり、循環ポンプ３が作動中であればその作動を停止させ、第１〜３熱交換部１２，１３，１４にて循環路２の湯水が加熱されないように、第１排熱切換機構１７および第２排熱切換機構１８が加熱状態に切換えられていると排熱状態に切換えるとともに、バーナＢが燃焼中であればバーナＢでの燃焼を停止させる。
【００３６】
また、貯湯運転を実行する時間帯などの貯湯運転の実行タイミングであって、貯湯タンク１内に必要最小貯湯量の貯湯がされているときに、すなわち、貯湯温サーミスタ１０の検出温度ＴＫが設定温度以上のときに、貯湯タンク１への貯湯を行う貯湯処理を実行している貯湯運転中であると、その貯湯処理が継続して実行される。
そして、貯湯タンク１内に余剰貯湯量の貯湯が行われて、貯湯運転が終了された後に、給湯用操作装置ＫＳの指令により風呂追焚きが指令されるか、床暖房装置の運転が開始されるか、または、その両方がされて、放熱処理の実行が要求されると、放熱運転を開始して放熱処理を実行する。
つまり、循環ポンプ３を作動させ、貯湯タンク１内の湯水を循環路２に取り出すように中間用三方弁８ｂを切換え、循環路２の湯水を貯湯タンク１内に戻すように底部用三方弁９ｂを切換えて、貯湯タンク１の中間部の湯水を熱源として風呂追焚き用熱交換部１５と床暖房用熱交換部１６のうちの放熱が要求されている一方またはその両方において放熱する。
【００３７】
そして、上述のように貯湯運転が終了しているときに、給湯用操作装置ＫＳの指令により風呂追焚きが指令されず、かつ、床暖房装置の運転が停止された状態で、放熱処理の実行が要求されていないと、貯湯温サーミスタ１０の検出温度ＴＫが設定温度未満となるまで、あるいは、給湯用操作装置ＫＳの指令により風呂追焚きが指令されたり、床暖房装置の運転が開始されたりして、放熱処理の実行が要求されるまで、貯湯処理あるいは放熱処理の実行を待機させる待機処理を実行する。
つまり、循環ポンプ３が作動していればその作動を停止させ、第１排熱切換機構１７および第２排熱切換機構１８が加熱状態に切換えられていると排熱状態に切換えるとともに、バーナＢが燃焼中であればバーナＢでの燃焼を停止させる。
【００３８】
このようにして、貯湯運転を実行する時間帯などの貯湯運転の実行タイミングにおいては、貯湯運転や放熱運転が実行されるが、貯湯運転の実行タイミングでなければ、上述の停止処理が実行される。
つまり、循環ポンプ３が作動中であればその作動を停止させ、第１〜３熱交換部１２，１３，１４にて循環路２の湯水が加熱されないように、第１排熱切換機構１７および第２排熱切換機構１８が加熱状態に切換えられていると排熱状態に切換えるとともに、バーナＢが燃焼中であればバーナＢでの燃焼を停止させる。
【００４５】
〔別実施形態〕
（１）上記実施形態では、貯湯タンク１への貯湯を行うとき、および、外部放熱部Ｈにて放熱を行うときには、共通の循環路２および循環ポンプ３にて行うようにしているが、それぞれ各別に設けるようにしてもよい。
つまり、図６に基づいて説明すると、貯湯タンク１の底部から取り出した湯水を加熱部Ｋにて加熱したのち、その温水を貯湯タンク１の上部に供給する貯湯用循環路１９が設けられ、この貯湯用循環路１９には貯湯用循環ポンプ２０が設けられ、貯湯タンク１の中間部から取り出した湯水を外部放熱部Ｈにて放熱したのち、その湯水を貯湯タンク１の底部に戻す放熱用循環路２１が設けられ、この放熱用循環路２１には放熱用循環ポンプ２２が設けられている。
そして、放熱用循環路２１と貯湯タンク１の中間部との接続箇所は、貯湯タンク１内に設けられている貯湯温サーミスタ１０と余剰湯温サーミスタ１１の間に位置する。なお、上記実施形態と同様の構成は同符号を記すことで、その説明を省略する。
【００４６】
そして、貯湯タンク１への貯湯を行うときには、貯湯用循環ポンプ２０を作動させて、貯湯タンク１の底部から取り出した湯水を加熱部Ｋにて加熱したのち、その温水を貯湯タンク１の上部に供給して、貯湯タンク１内に温度成層を形成して湯水を貯湯する。
外部放熱部Ｈにて放熱を行うときには、放熱用循環ポンプ２２を作動させて、貯湯タンク１の中間部から取り出した湯水を熱源として外部放熱部Ｈにて放熱したのち、その湯水を貯湯タンク１の底部に戻す。
【００４９】
（２）上記実施形態では、エンジンヒートポンプ式冷暖房装置Ｃのエンジン排熱およびヒートポンプ式冷暖房における排熱を利用して加熱部Ｋにおける加熱を可能としているが、家庭用コージェネレーションシステムにおけるエンジン排熱および発電機排熱を利用して加熱部Ｋにおいて加熱するようにしてもよい。
【図面の簡単な説明】
【図１】  エンジンヒートポンプ式冷暖房給湯システムの概略構成図
【図２】  制御装置の制御ブロック図
【図３】  エンジンヒートポンプ式冷暖房給湯システムの概略構成図
【図４】  エンジンヒートポンプ式冷暖房給湯システムの概略構成図
【図５】  制御装置の制御動作を示すフローチャート
【図６】  別実施形態におけるエンジンヒートポンプ式冷暖房給湯システムの要部を示す図
【符号の説明】
１              貯湯タンク
６              給湯路
１０ 貯湯温サーミスタ
１１            余剰貯湯状態検出手段（余剰湯温サーミスタ）
Ｈ              外部放熱部
Ｊ              循環供給手段
Ｋ              加熱手段
Ｓ              制御手段
【図１】
0004049460.tif 000002
【図２】
0004049460.tif 000003
【図３】
0004049460.tif 000004
【図４】
0004049460.tif 000005
【図５】
0004049460.tif 000006
【図６】
0004049460.tif 000007